(57)【要約】      （修正有）【課題】組立作業が容易で、放熱面積を確保できる組み合わせ式放熱器を提供する。【解決手段】第１の放熱片２及び第２の放熱片３からなり、第１の放熱片は、一方の側面に第１の平坦部２１を有し、該平坦部から上方に向けて延長した複数の第１の放熱フィン２２を有する。複数の第１の放熱フィン２２間に一定の間隔を設けた第１の嵌合部２３形成され、第２の放熱片３は、同様に第２の平坦部３１、複数の第２の放熱フィン３２、複数の第２の放熱フィン３２間に同じく一定の間隔を設けて第２の嵌合部３３を形成する。第１の放熱片２及び第２の放熱片３をそれぞれ放熱フィンを相対する側の嵌合部に挿入して交差する方式で結合すると、第１の平坦部２１が第２の平坦部３１に合致し、第１の放熱フィン２２が第２の嵌合部３３に、第１の嵌合部２３が第２の放熱フィン３２に嵌合させて、一体に組み立てる。【選択図】図１
0003153715.tif 000002
【実用新案登録請求の範囲】
【請求項１】
一方の側面に第１の平坦部を有し、前記第１の平坦部から上方に向けて延長した複数の第１の放熱フィンを設け、前記複数の第１の放熱フィン間に間隔を設けた第１の嵌合部が形成されている第１の放熱片と、
一方の側面に第２の平坦部を有し、前記第２の平坦部から上方に向けて延長した複数の第２の放熱フィンを設け、前記複数の第２の放熱フィン間に間隔を設けた第２の嵌合部が形成されている第２の放熱片と、からなり、
前記第１の放熱片及び前記第２の放熱片を
前記第１の平坦部が前記第２の平坦部に合致させ、前記第１の放熱フィンが前記第２の嵌合部に嵌合し、前記第１の嵌合部が前記第２の放熱フィンと嵌合することにより、一体に組み立てられることを特徴とする組み合わせ式放熱器。
【請求項２】
前記第１の放熱片および第２の放熱片は、上下で相互に交差する方式で結合することを特徴とする請求項１に記載の組み合わせ式放熱器。
【請求項３】
前記第１の放熱片および第２の放熱片は、左右相互に交差する方式で結合することを特徴とする請求項１に記載の組み合わせ式放熱器。
【請求項４】
前記第１の放熱片および第２の放熱片は、同じ金型により成形されていることを特徴とする請求項１に記載の組み合わせ式放熱器。
【請求項５】
前記第１の放熱片は、内側に複数の第１の放熱増加部が延長形成されていることを特徴とする請求項１に記載の組み合わせ式放熱器。
【請求項６】
前記第２の放熱片は、内側に複数の第２の放熱増加部が延長形成されていることを特徴とする請求項１に記載の組み合わせ式放熱器。
【請求項７】
前記第１の放熱フィンと前記第２の嵌合部とは、相互に嵌合して強く結合し合っていることを特徴とする請求項１に記載の組み合わせ式放熱器。
【請求項８】
前記第１の嵌合部と前記第２の放熱フィンとは、相互に嵌合して強く結合し合っていることを特徴とする請求項１に記載の組み合わせ式放熱器。
【請求項９】
前記第１の放熱片は、銅からなり、第２の放熱片はアルミニウムからなることを特徴とする請求項１に記載の組み合わせ式放熱器。
【請求項１０】
前記第１の放熱片および第２の放熱片は、異なる熱伝導材料からなることを特徴とする請求項１に記載の組み合わせ式放熱器。
【請求項１１】
前記第１の放熱片および第２の放熱片は、同じ熱伝導材料からなることを特徴とする請求項１に記載の組み合わせ式放熱器。
【請求項１２】
前記第１の放熱フィンは、前記第２の放熱フィンと強く結合し合あい、前記第１の放熱フィンおよび前記第２の放熱フィンにより放熱体が構成されることを特徴とする請求項１に記載の組み合わせ式放熱器。
【考案の詳細な説明】
【技術分野】
【０００１】
本考案は、電子デバイスの組み合わせ式放熱器に関し、特に、金型数を減少させ、作業スペースが限定されずに、組み合わせ前と同様の放熱面積を有する組み合わせ式放熱器に関する。
【背景技術】
【０００２】
テクノロジーの発展により電子デバイスの構造が精巧で、出力が大きな製品が多く販売されているが、出力が大きな製品は、使用時において、高温を発生することを避けることができないため、ユーザには、電子デバイスの焼損から製品の損傷、さらに重大な事態の発生などの心配が付き纏う。そのため、精巧な製品には、放熱器を配置して放熱を行う物が多い。
【０００３】
電子装置の体積は、ユーザが選択する際において重要なポイントである。そのため、電子装置内の使用可能な空間が限定されるが、内部の電子デバイスおよび放熱器を省いたり、放熱器の放熱面積を縮小させたりすることができない。また、従来の放熱器は、異なる複数の金型により成形された部品を組み立てるため、製造コストが高かった。作業空間が限定される電子装置内において、放熱器の組立を行うことは手間がかかった。
【０００４】
従来の放熱器は、見栄えをよくするため、組み立てられた放熱器に、異なる色の部品を取り付けたり、スプレーで彩色したりしていたが、それが放熱効果に悪影響を与えていた。
【先行技術文献】
【特許文献】
【０００５】
【特許文献１】特開平０６−６９３９０号公報
【特許文献２】特開平１１−１７０７８号公報
【考案の概要】
【考案が解決しようとする課題】
【０００６】
本考案の第１の目的は、組立を行う作業空間が限定されずに、迅速に組立を行い、組み合わせ前と同様の放熱面積を有し、コストを削減する組み合わせ式放熱器を提供することにある。
本考案の第２の目的は、見栄えがよく、好適な放熱効果を有する組み合わせ式放熱器を提供することにある。
【０００７】
上述の目的を達成するため、本考案は、組み合わせ式放熱器を提供する。本考案の組み合わせ式放熱器は、第１の放熱片および第２の放熱片を具える。第１の放熱片は、一方の側面に第１の平坦部を有する。第１の平坦部は、上部に向かって延伸した複数の第１の放熱フィンを有する。複数の第１の放熱フィン間に第１の嵌合部が形成されている。第２の放熱片は、一方の側面に第２の平坦部を有する。第２の平坦部は上部に向かって延伸した複数の第２の放熱フィンを有する。複数の第２の放熱フィン間に第２の嵌合部が形成されている。第１の放熱片２および第２の放熱片３が交差する方式で結合すると、第１の平坦部が第２の平坦部に貼り付き、第１の放熱フィンが第２の嵌合部に接合し、第１の嵌合部が第２の放熱フィンに接合することにより、組み立てにおける手間を省き、組み合わせ前と同様の放熱面積を有することができる。
【考案の効果】
【０００８】
本考案の組み合わせ式放熱器は、第１の放熱片２および第２の放熱片３が交差する方式で結合すると、第１の平坦部が第２の平坦部に貼り付き、第１の放熱フィンが第２の嵌合部に接合し、第１の嵌合部が第２の放熱フィンに接合することにより、組み立てにおける手間を省き、組み合わせ前と同様の放熱面積を有することができる。同時にコストを削減することもできる。また、第１の放熱片２および第２の放熱片３が交差する方式で結合すると、見栄えがよい。
【図面の簡単な説明】
【０００９】
【図１】本考案の好適な実施形態による組み合わせ式放熱器を示す分解斜視図である。
【図２】本考案の好適な実施形態による組み合わせ式放熱器を示す斜視図である。
【図３】本考案の好適な実施形態による組み合わせ式放熱器を示す断面図である。
【図４】本考案のもう一つの実施形態による組み合わせ式放熱器を示す分解斜視図である。
【図５】本考案のもう一つの実施形態による組み合わせ式放熱器を示す斜視図である。
【図６】本考案のもう一つの実施形態による組み合わせ式放熱器を示す断面図である。
【考案を実施するための形態】
【００１０】
以下、本考案の実施形態を図面に基づいて説明する。
【００１１】
図１〜３を参照する。図１は、本考案の好適な実施形態による組み合わせ式放熱器を示す分解斜視図である。図２は、本考案の好適な実施形態による組み合わせ式放熱器を示す斜視図である。図３は、本考案の好適な実施形態による組み合わせ式放熱器を示す断面図である。図１〜３に示すように、本考案の組み合わせ式放熱器１は、第１の放熱片２および第２の放熱片３を具える。第１の放熱片２および第２の放熱片３は、同じ金型により成形されている。第１の放熱片２は、一方の側面に第１の平坦部２１を有する。第１の平坦部２１は、上部に向かって延伸した複数の第１の放熱フィン２２を有する。左右に互いに隣接する第１の放熱フィン２２の間に第１の嵌合部２３がそれぞれ形成されている。第２の放熱片３は、一方の側面に第２の平坦部３１を有する。第２の平坦部３１は、上部に向かって延伸した複数の第２の放熱フィン３２を有する。左右に互いに隣接する第２の放熱フィン３２の間に第２の嵌合部３３がそれぞれ形成されている。第１の放熱片２および第２の放熱片３は、左右相互に交差する方式で結合する。第１の放熱片２および第２の放熱片３が交差して結合すると、第１の放熱片２の第１の平坦部２１と第２の放熱片３の第２の平坦部３１とが左右相互に貼り合わさる。この時、第１の放熱片２の第１の放熱フィン２２が第２の放熱片３の第２の嵌合部３３に挿入され、第２の放熱フィン３２も同時に第１の放熱片２の第１の嵌合部２３に挿入される。第１の放熱フィン２２は、幅が第２の嵌合部３３にぴったり合い、第２の放熱フィン３２は、幅が第１の嵌合部２３にぴったり合うため、第１の放熱フィン２２と第２の嵌合部３３とは、相互に強く結合し合い、第２の放熱フィン３２と第１の嵌合部２３とも相互に強く結合し合う。このように、第１の放熱フィン２２と第２の放熱フィン３２とが結合し、放熱体が構成される。これにより、放熱器１は、組み立てにおける手間を省き、組み合わせ前と同様の放熱面積を有することができる。また、第１の放熱片２の内側に複数の第１の放熱増加部２４が延伸するように設けられ、第２の放熱片３の内側に複数の第２の放熱増加部３４が延伸するように設けられることにより、放熱器１の放熱効果を増加させることができる。これと同時に、放熱器１の見栄えもよくすることができる。第１の放熱片２および第２の放熱片３は、第１の放熱片２が銅からなり、第２の放熱片３がアルミニウムからなるというように、異なる熱伝導材料からなってもよいし、同じ熱伝導材料からなってもよい。これにより、放熱器１の見栄えもよくすることができる。
【００１２】
図４〜６を参照する。図４は、本考案のもう一つの実施形態による組み合わせ式放熱器を示す分解斜視図である。図５は、本考案のもう一つの実施形態による組み合わせ式放熱器を示す斜視図である。図６は、本考案のもう一つの実施形態による組み合わせ式放熱器を示す断面図である。
図４〜６に示すように、本考案のもう一つの実施形態による組み合わせ式放熱器１は、第１の放熱片４および第２の放熱片５を具える。第１の放熱片４および第２の放熱片５は、二つの異なる金型により成形されている。
第１の放熱片４は、両側に第１の平坦部４１をそれぞれ有する。両側の第１の平坦部４１は、内側に向かって延伸した複数の第１の放熱フィン４２を有する。両側に左右に互いに隣接する第１の放熱フィン４２の間に第１の嵌合部４３がそれぞれ形成されている。第２の放熱片５は、両側に第２の平坦部５１をそれぞれ有する。両側の第２の平坦部５１は、内側に向かって延伸した複数の第２の放熱フィン５２を有する。両側に左右に互いに隣接する第２の放熱フィン５２の間に第２の嵌合部５３がそれぞれ形成されている。第１の放熱片４および第２の放熱片５は、上下で相互に交差する方式で結合する。第１の放熱片４および第２の放熱片５が上下で相互に交差して結合すると、第１の放熱片４の第１の平坦部４１と第２の放熱片５の第２の平坦部５１とが上下相互に貼り合わさる。第１の平坦部４１と第２の平坦部５１とが嵌合し合う。この時、第１の放熱片４の第１の放熱フィン４２が第２の放熱片５の第２の嵌合部５３に挿入され、第２の放熱フィン５２も同時に第１の放熱片４の第１の嵌合部４３に挿入される。これにより、第１の放熱フィン４２と第２の放熱フィン５２とが相互に強く結合し合い、放熱体が構成され、組み立てにおける手間を省き、組み合わせ前と同様の放熱面積を有することができる。また、第１の放熱片４の内側に複数の第１の放熱増加部４４が延伸するように設けられ、第２の放熱片５の内側に複数の第２の放熱増加部５４が延伸するように設けられることにより、放熱器１の放熱効果を増加させることができる。これと同時に、放熱器１の見栄えもよくすることができる。
第１の放熱片４および第２の放熱片５は、第１の放熱片４が銅からなり、第２の放熱片５がアルミニウムからなるというように、異なる熱伝導材料からなってもよいし、同じ熱伝導材料からなってもよい。これにより、放熱器１の見栄えもよくすることができる。
【００１３】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００１４】
１  放熱器
２  第１の放熱片
３  第２の放熱片
４  第１の放熱片
５  第２の放熱片
２１  第１の平坦部
２２  第１の放熱フィン
２３  第１の嵌合部
２４  第１の放熱増加部
３１  第２の平坦部
３２  第２の放熱フィン
３３  第２の嵌合部
３４  第２の放熱増加部
４１  第１の平坦部
４２  第１の放熱フィン
４３  第１の嵌合部
４４  第１の放熱増加部
５１  第２の平坦部
５２  第２の放熱フィン
５３  第２の嵌合部
５４  第２の放熱増加部
【図１】
0003153715.tif 000003
【図２】
0003153715.tif 000004
【図３】
0003153715.tif 000005
【図４】
0003153715.tif 000006
【図５】
0003153715.tif 000007
【図６】
0003153715.tif 000008